(57)【特許請求の範囲】
【請求項１】
電気装置の筐体の内部と外部を接続するケーブルを通す、前記筐体の側面及び底面に開口部を有するケーブル通過口と、該ケーブル通過口に取り付けられるケーブル抑えとを設けた電気装置の筐体であって、
前記ケーブル抑えは二辺からなる略Ｌ字型の硬質部材と、該硬質部材の一辺に配設された弾性部材から成り、前記硬質部材と前記弾性部材を前記ケーブル通過口の幅とほぼ同一とすると共に該弾性部材を該硬質部材から突出して設け、
前記ケーブル通過口に前記ケーブル抑えを取り付けるときは、前記弾性部材を上方に向けて前記ケーブル抑えの一辺を前記側面に取り付け、
前記ケーブル抑えを取り付けた状態で、前記硬質部材を前該突出方向に移動させ、前記硬質部材で前記ケーブル通過口の前記底面の開口部を塞ぎ、
前記ケーブル通過口を開くときは、前記硬質部材を前記突出方向と反対の方向に移動させることにより、該移動により形成された前記筐体の内部と外部の間隙を前記弾性部材が埋めて、前記ケーブルを通過させることを特徴とする電気装置の筐体。
【発明の詳細な説明】
【０００１】
【発明の属する技術分野】
本発明は、金融自動化機器等、筐体内部にメカ・制御部・電源等のユニットを有し、電気装置の筐体の内部と外部を接続するケーブルを通すケーブル通過口に関するものである。
【０００２】
【従来の技術】
例えば、従来、金融自動化機器等の電気装置は複数のメカユニットとそれを制御する複数の制御部ユニット、また、それらを動作させる電源ユニットから構成されていた。
【０００３】
制御部ユニットは複数の拡張Ｉ／Ｏ基板スロットを有し、それぞれ拡張Ｉ／Ｏ基板が実装できる。実装された拡張Ｉ／Ｏ基板には複数の外線ケーブルが接続される。また、電源ユニットにはＡＣケーブルが接続される。拡張Ｉ／Ｏ基板用接続ケーブルは筐体外部機器に、ＡＣケーブルは筐体外部のＡＣコンセントに接続される。筐体ベースには筐体の内部と外部を接続するケーブルを通すケーブル通過口が設けてある。このケーブル通過口には外線用ケーブル抑えが取り付けられている。外線用ケーブル抑えは外線用ケーブルをスポンジ等からなる弾性部材で押圧し外部と遮断していた。
【０００４】
【発明が解決しようとする課題】
しかしながら、上記構成の機器では、一般的に組立・試験終了後工場出荷となる。その後納期等の関係上倉庫等に一時保管された後運用に向け出荷される。倉庫保管時にネズミ等が外線用ケーブル抑えアッセンブリの弾性部材をかじったり・押し上げたりして 機器の内部に入り込んで内部の部品等をかじり、設置後立ち上がらない等の問題が生じた。これを防止するため倉庫保管時専用のブラケット等を新たに板金等の硬質部材で作成し取り付ける必要がありコスト高となるという課題があった。
【０００５】
【課題を解決するための手段】
本発明は、上記の課題を解決するために倉庫保管時・設置時に共用で使用出来る外線用ケーブル抑えを提供することを目的とする。
第１の実施の形態では、電気装置の筐体の内部と外部を接続するケーブルを通すケーブル通過口と、ケーブル通過口を塞ぐケーブル抑えとを設けた電気装置の筐体において、ケーブル抑えは略Ｌ字型に形成され、その１辺を取り付けに他の一辺の表面は前記硬質部材で裏面は前記弾性部材で構成し、該ケーブル抑えの取り付けを上下反転することにより硬質部材でケーブル通過口を塞ぐかまたは弾性部材にてケーブルを通して抑えるかの選択を出来るようにした。
【０００６】
また、第２の実施の形態では、電気装置の筐体の内部と外部を接続するケーブルを通すケーブル通過口と、該ケーブル通過口を塞ぐケーブル抑えとを設けた電気装置の筐体において、前記ケーブル抑えを硬質部材と弾性部材とで構成し、硬質部材と弾性部材をケーブル通過口の幅とほぼ同一とすると共に弾性部材を硬質部材から突出して設け該突出方向に移動可能にし、前記硬質部材で前記ケーブル通過口を塞ぐかまたは前記弾性部材にてケーブルを通過させるかの選択を出来るようにした。ものである。
【０００７】
【発明の実施の形態】
以下に、本発明の実施の形態の詳細を図面を用いて説明する。なお、本発明の実施の形態において、各図面に共通する要素には同一の符号を付す。
【０００８】
［第１の実施の形態］
図１は図２のＡ部を拡大した分解斜視図である。図２は本発明の金融自動化機器の外観斜視図であり、図３は本発明の第１の実施の形態の要部分解斜視図である。図４は第１の実施の形態の倉庫保管時の説明図である。図５は第１の実施の形態の設置時の説明図である。
【０００９】
図１から図５において、金融自動化機器１等の電気装置は複数のメカユニット３とそれらを制御する複数の制御部ユニット４、また、それらに電力を供給する電源ユニット５から構成される。
【００１０】
制御部ユニット４は複数の拡張Ｉ／Ｏ基板スロット４ａを有し、それぞれ拡張Ｉ／Ｏ基板(図示せず)が実装できる。実装された拡張Ｉ／Ｏ基板には複数の外線ケーブル７が接続される。また、電源ユニットにはＡＣケーブル８が接続される。拡張Ｉ／Ｏ基板用接続ケーブル７は筐体外部機器に、 ＡＣケーブル８は筐体外部のＡＣ コンセントに接続される。
【００１１】
図３のように、筐体ベース６には外線ケーブル７・８を通すケーブル通過口６ａが設けて有り、このケーブル通過口６ａに外線用ケーブル抑えアッセンブリ９が取り付けてある。外線用ケーブル抑えアッセンブリ９は板金等の硬質部材の材料からなる外線用ケーブル抑え１０とスポンジ等からなる弾性部材１１で構成されている。外線用ケーブル抑え１０は略Ｌ字型に形成され、略Ｌ字型の一辺１０ａは取り付けのためのブラケットを形成し、他の一辺１０ｂは表面を板金等の硬質部材で裏面にスポンジ等からなる弾性部材１１を貼り付けている。
【００１２】
外線用ケーブル抑え１０はケーブル通過口６ａの側面と底面をそれぞれ塞ぐ形状になっている。弾性部材１１の幅は筐体ベース６に設けられたケーブル通過口６ａの切り欠き幅よりすこし狭く形成され、筐体ベース６に設けられたケーブル通過口６ａに入り込んでいる。外線用ケーブル抑えアッセンブリ９は筐体ベース６に設けられたネジ６ｂにネジ１２にて取り付けられている。
【００１３】
次に図４・図５を用いて作用について説明する。図４は倉庫保管時の外線用ケーブル抑えアッセンブリ９の取り付け状態を示し、外線用ケーブル抑え１０は略Ｌ字型に形成されたその２辺１０ａ・１０ｂにて筐体ベース６に設けられたケーブル通過口６ａの外側の側面と底面をそれぞれ塞いでいる。外線用ケーブル抑えアッセンブリ９は筐体ベース６に設けられたネジ６ｂにネジ１２にて取り付けられている。この時弾性部材１１は機器の内部側に収納されている。これにより倉庫保管時にネズミ等が外線用ケーブル抑えアッセンブリの弾性部材をかじったり・押し上げたりして 機器の内部に入り込んで内部の部品等をかじることを防止している。
【００１４】
図５は設置時の外線用ケーブル抑えアッセンブリ９の取り付け状態を示し、外線用ケーブル抑えアッセンブリ９を倉庫保管時に対して上下逆さまに取り付けている。設置時には筐体ベース６に設けられたケーブル通過口６ａを通って拡張Ｉ／Ｏ基板用接続ケーブル７やＡＣケーブル８が外部に接続される。外線用ケーブル抑え１０は略Ｌ字型に形成された辺１０ａにて筐体ベース６に設けられたケーブル通過口６ａの側面を塞いでいる。ケーブル通過口６ａの底部は拡張Ｉ／Ｏ基板用接続ケーブル７やＡＣケーブル８が通って外部に接続され、弾性部材１１が変形して筐体内部と筐体外部のすきまを埋めるている。これにより設置時に外部との遮断を完全にしている。
【００１５】
［第２の実施の形態］
図６は本発明の第２の実施の形態の要部分解斜視図である。図７は第２の実施の形態の倉庫保管時の説明図である。図８は第２の実施の形態の倉庫保管時の説明図である。
図６のように、筐体ベース１６には外線ケーブル７・８を通すケーブル通過口１６ａが設けて有り、このケーブル通過口１６ａを塞ぐため外線用ケーブル抑えアッセンブリ１９が筐体ベース１６に左右方向に移動可能に取り付けられている。外線用ケーブル抑えアッセンブリ１９は板金等の硬質部材からなる外線用ケーブル抑え２０とスポンジ等からなる弾性部材２１で構成されている。
【００１６】
外線用ケーブル抑え２０は略Ｌ字型に形成され、略Ｌ字型の一辺２０ａは取り付けのためのブラケットを形成し、他の一辺２０ｂは表面を板金等の硬質部材で裏面にスポンジ等からなる弾性部材１１を貼り付けている。また、外線用ケーブル抑え２０の一辺２０ｂと弾性部材２１をケーブル通過口１６ａの幅と略同一とし、弾性部材２１は外線用ケーブル７・８を通す面積だけ外線用ケーブル抑え２０の一辺２０ｂの幅に対して左にずらして左側に突き出して設けてある。これは設置時、外線用ケーブル抑えアッセンブリ１９を右にずらした際、筐体内部と筐体外部のすきまを弾性部材２１で埋める理由でずらしてある。外線用ケーブル抑えアッセンブリ１９は筐体ベース１６に設けられたネジ１６ｂに外線用ケーブル抑え２０の一辺２０ａに設けられた長穴２０ｃにて左右にずらしてネジ２２で取り付け可能である。
【００１７】
次に図７・図８を用いて作用について説明する。図７は倉庫保管時の外線用ケーブル抑えアッセンブリ１９の取り付け状態を示し、筐体ベース１６には外線ケーブル７・８を通すケーブル通過口１６ａが設けてある。このケーブル通過口１６ａを塞ぐため外線用ケーブル抑えアッセンブリ１９は筐体ベース１６に左側に寄せて取り付けられている。この時、略Ｌ字型の一辺２０ｂの幅は筐体ベース１６に設けられたケーブル通過口１６ａの切り欠き幅と略同一で底面と側面を塞いでいる。この時弾性部材２１は機器の内部側に収納されている。
【００１８】
これにより倉庫保管時にネズミ等が外線用ケーブル抑えアッセンブリの弾性部材２１をかじったり・押し上げたりして 機器の内部に入り込んで内部の部品等をかじることを防止している。
【００１９】
図８は設置時の外線用ケーブル抑えアッセンブリ１９の取り付け状態を示し、外線用ケーブル抑えアッセンブリ１９は右側に寄せて取り付けている。設置時には筐体ベース１６に設けられたケーブル通過口１６ａと外線用ケーブル抑えアッセンブリ１９の隙間を通って拡張Ｉ／Ｏ基板用接続ケーブル７やＡＣケーブル８が外部に接続される。
【００２０】
これは外線用ケーブル抑え２０は略Ｌ字型に形成された一辺２０ａにて筐体ベース１６に設けられたケーブル通過口１６ａの側面を塞いでいると共にケーブル通過口１６ａの底部の左側にできたケーブル通過口１６ａと外線用ケーブル抑え１０との間のすきまを拡張Ｉ／Ｏ基板用接続ケーブル７やＡＣケーブル８が通って外部に接続され、弾性部材２１が変形して筐体内部と筐体外部のすきまを埋めるている。これにより設置時に外部との遮断を完全にしている。
【００２１】
【発明の効果】
以上説明したように、本発明によれば、倉庫保管時と設置時に一つの外線用ケーブル抑えアッセンブリを共用することが可能となり、倉庫保管時のネズミの進入を防止するブラケットを削除することが可能になり低コスト化が実現できる。
【図面の簡単な説明】
【図１】図２のＡ部を拡大した分解斜視図である。
【図２】本発明の電気装置の外観斜視図である。
【図３】本発明の第１の実施の形態の要部分解斜視図である。
【図４】本発明の第１の実施の形態の倉庫保管時の説明図である。
【図５】本発明の第１の実施の形態の設置時の説明図である。
【図６】本発明の第２の実施の形態を示す要部分解斜視図である。
【図７】本発明の第２の実施の形態の倉庫保管時の説明図である。
【図８】本発明の第２の実施の形態の設置時の説明図である。
【符号の説明】
１  電気装置
６・１６  ケーブル通過口
７  拡張Ｉ／Ｏ基板用接続ケーブル７
８  ＡＣケーブル
９・１９  外線用ケーブル抑えアッセンブリ
【図１】
0004337229.tif 000002
【図２】
0004337229.tif 000003
【図３】
0004337229.tif 000004
【図４】
0004337229.tif 000005
【図５】
0004337229.tif 000006
【図６】
0004337229.tif 000007
【図７】
0004337229.tif 000008
【図８】
0004337229.tif 000009